(57)【要約】【課題】共にタッチパネルを有する第１の情報処理装置と第２の情報処理装置との間で直感的な操作が可能な通信システム、情報処理装置、及び通信方法を提供する。【解決手段】第１の情報処理装置としての携帯端末から第２の情報処理装置としての固定端末に人体通信により接続情報を伝送すると、人体通信から他の通信に切り替えてコンテンツのファイルの授受を行う。【選択図】図１
2011209852.tif 000002
【特許請求の範囲】
【請求項１】
第１のタッチパネルを有し人体通信が可能な第１の情報処理装置と、第２のタッチパネルを有し人体通信が可能な第２の情報処理装置と、を備えた通信システムであって、
前記第１の情報処理装置は、前記第１のタッチパネル及び前記第２のタッチパネルの操作により前記第２の情報処理装置との間で人体通信を行う第１の人体通信部と、前記第２の情報処理装置との間で非人体通信を行う第１の非人体通信部と、前記第１の人体通信部により接続情報を前記第２の情報処理装置と授受することによりコンテンツのファイルの授受をするための非人体通信に切り替える第１の制御部と、を有し、
前記第２の情報処理装置は、前記第１のタッチパネル及び前記第２のタッチパネルの操作により前記第１の情報処理装置との間で人体通信を行う第２の人体通信部と、前記第１の情報処理装置との間で非人体通信を行う第２の非人体通信部と、前記第２の人体通信部により接続情報を前記第１の情報処理装置と授受することによりコンテンツのファイルの授受をするための非人体通信に切り替える第２の制御部と、を有することを特徴とする通信システム。
【請求項２】
前記第１の制御部は、前記第１のタッチパネルの操作後の前記第２のタッチパネルの操作により前記人体通信で接続情報を前記第２の情報処理装置に送り、前記第２の情報処理装置との間で前記人体通信以外の他の通信が確立すると、前記人体通信から他の通信に切り替えて、前記第１のタッチパネルの操作によりコンテンツのファイルを前記第２の情報処理装置に送り、
前記第２の制御部は、前記第１の情報処理装置との間での前記人体通信により前記接続情報を受けると、前記第１の情報処理装置との間で前記人体通信以外の他の通信を確立し、前記第１の情報処理装置から前記コンテンツのファイルを受けることを特徴とする請求項１記載の通信システム。
【請求項３】
前記第１の制御部は、前記第１のタッチパネルの操作後の前記第２のタッチパネルの操作により前記人体通信で接続情報を前記第２の情報処理装置に送り、前記第２の情報処理装置との間で前記人体通信以外の他の通信が確立すると、前記第１のタッチパネルの操作により伝送先を指定し、前記人体通信から他の通信に切り替えてコンテンツのファイルの受け入れ準備を行い、
前記第２の制御部は、前記第１の情報処理装置との間での前記人体通信により前記接続情報を受けると、前記第１の情報処理装置との間で前記人体通信以外の他の通信を確立し、前記第１の情報処理装置へ前記コンテンツのファイルを送ることを特徴とする請求項１記載の通信システム。
【請求項４】
ユーザの操作により入力可能な第１の入力手段と、人体を介して通信を行う第１の人体通信部と、人体を介さずに通信を行う第１の非人体通信部とを有する第１の情報処理装置、および、人体を介して通信を行う第２の人体通信部と、人体を介さずに通信を行う第２の非人体通信部とを有する第２の情報処理装置とを備えた通信システムであって、
前記第２の情報処理装置が管理するデータを指定した後に、前記第１の入力手段が前記第２の情報処理装置を保持するユーザに操作されて前記データに対する操作が指定されると、前記データに対する操作を行うための前記第１の非人体通信部と前記第２の非人体通信部との通信に用いる設定情報を、前記第１の人体通信部と前記第２の人体通信部との間で通信することを特徴とする通信システム。
【請求項５】
第１のタッチパネルを有し人体通信が可能な第１の情報処理装置と、第２のタッチパネルを有し人体通信が可能で、前記第１のタッチパネル及び前記第２のタッチパネルの操作により前記第１の情報処理装置との間で人体通信を行う第２の人体通信部、前記第１の情報処理装置との間で非人体通信を行う第２の非人体通信部、及び前記第２の人体通信部により接続情報を前記第１の情報処理装置と授受することによりコンテンツのファイルの授受をするための非人体通信に切り替える第２の制御部を有する第２の情報処理装置と、を備えた通信システムに用いられる第１の情報処理装置であって、
前記第１の情報処理装置は、前記第１のタッチパネル及び前記第２のタッチパネルの操作により前記第２の情報処理装置との間で人体通信を行う第１の人体通信部と、前記第２の情報処理装置との間で非人体通信を行う第１の非人体通信部と、前記第１の人体通信部により接続情報を前記第２の情報処理装置と授受することによりコンテンツのファイルの授受をするための非人体通信に切り替える第１の制御部と、を有することを特徴とする第１の情報処理装置。
【請求項６】
第１のタッチパネルを有し人体通信が可能で前記第１のタッチパネル及び前記第２のタッチパネルの操作により前記第２の情報処理装置との間で人体通信を行う第１の人体通信部、前記第２の情報処理装置との間で非人体通信を行う第１の非人体通信部、及び前記第１の人体通信部により接続情報を前記第２の情報処理装置と授受することによりコンテンツのファイルの授受をするための非人体通信に切り替える第１の制御部を有する第１の情報処理装置と、第２のタッチパネルを有し人体通信が可能な第２の情報処理装置と、を備えた通信システムに用いられる第２の情報処理装置であって、
前記第２の情報処理装置は、前記第１のタッチパネル及び前記第２のタッチパネルの操作により前記第１の情報処理装置との間で人体通信を行う第２の人体通信部と、前記第１の情報処理装置との間で非人体通信を行う第２の非人体通信部と、前記第２の人体通信部により接続情報を前記第１の情報処理装置と授受することによりコンテンツのファイルの授受をするための非人体通信に切り替える第２の制御部と、を有することを特徴とする第２の情報処理装置。
【請求項７】
人体通信が可能な第１の情報処理装置と、人体通信が可能な第２の情報処理装置との間の通信方法であって、
前記第１の情報処理装置から前記第２の情報処理装置に人体通信により接続情報を伝送すると、前記人体通信から他の通信に切り替えてコンテンツのファイルの授受を行うことを特徴とする通信方法。
【請求項８】
前記第１の情報処理装置の第１のタッチパネルを操作した後、前記第２の情報処理装置の第２のタッチパネルを操作することにより、接続情報を前記第１の情報処理装置から前記第２の情報処理装置に伝送して前記他の通信を開始し、前記コンテンツのファイルを前記第１の情報処理装置から前記第２の情報処理装置に送ることを特徴とする請求項７記載の通信方法。
【請求項９】
前記第１の情報処理装置の第１のタッチパネルを操作した後、前記第２の情報処理装置の第２のタッチパネルを操作することにより、接続情報を前記第１の情報処理装置から前記第２の情報処理装置に伝送して前記他の通信を開始し、前記第１のタッチパネルの操作により伝送先を指定し、コンテンツのファイルの受け入れ準備を行い、前記第２の情報処理装置から前記コンテンツのファイルを前記第１の情報処理装置に送ることを特徴とする請求項７記載の通信方法。
【発明の詳細な説明】
【技術分野】
【０００１】
本発明は、通信システム、情報処理装置、及び通信方法に関する。
【背景技術】
【０００２】
近年、タッチパネルを搭載した端末機器が開発されている。
図１０（ａ）は、タッチパネルを搭載した固定端末の操作方法を示す説明図であり、図１０（ｂ）は、タッチパネルを搭載した携帯端末の操作方法を示す説明図である。
【０００３】
一般的なGUIでは、下記手順で操作対象への操作指示を行う。
(1)操作対象を示すアイコンに対して所定の操作を行うことにより、操作対象（ファイルやフォルダなど）を選択する。
(2)操作内容を示すアイコンに対して所定の操作を行うことにより、操作内容（移動／コピー先の指定、関連アプリケーションで開く、削除など）を選択する
図１０（ａ）のような従来のタッチパネル搭載機器では、画面上の操作対象アイコンにタッチすることによって操作対象を選択し、タッチした状態を維持したまま操作内容を示すアイコンまで移動し（ドラッグ）、そこでタッチを終了する（ドロップ）ことで操作内容を選択する。
上述のように、操作対象アイコンから操作内容アイコンまでドラッグすることが求められるので、画面の大型化やマルチディスプレイ化により、操作が難しくなるケースが出てきた。
【０００４】
同様に、図１０（ｂ）において、携帯端末４をユーザの他方の手６（この場合、左手）で持ち、一方の手のユビ３でタッチパネル５のコンテンツのアイコン（図示せず）に触れることで行われる。ドラッグを行う場合、そのまま、ユビを離さず、タッチパネル５上を移動することで行われる。ドロップを行う場合、指定の場所でユビを離す。コンテンツの移動、コピー、再生動作が行われる。
【０００５】
図１０（ａ）、（ｂ）に関連する技術が特許文献１に開示されている（例えば、特許文献１参照）。
特許文献１に記載の発明は、「電子掲示装置」に関するものである。具体的には「携帯端末と通信可能に接続する接続手段を備えた電子掲示装置であって、データを画面上に掲示する掲示手段と、該画面上に掲示されたデータに対する操作入力を前記画面から受け付ける操作入力手段と、該操作入力手段が受け付けた操作入力に基づいて前記画面上のデータを前記携帯端末へ転送するデータ転送手段とを備える」ものである。
【０００６】
特許文献１に記載の発明によれば、携帯端末と通信可能に接続される電子掲示装置において、データを視認性よく掲示したまま、ドラッグ＆ドロップ操作などの直感的な操作で携帯端末へのデータ転送を実行することができるとしている。
【先行技術文献】
【特許文献】
【０００７】
【特許文献１】特開２００８−２５７４４２号公報
【発明の概要】
【発明が解決しようとする課題】
【０００８】
図１１（ａ）、（ｂ）は、図１０（ａ）に示した固定端末に図１０（ｂ）に示した携帯端末からコンテンツのファイルを伝送する場合の説明図である。
【０００９】
図１１（ａ）に示すように、固定端末１と携帯端末４との間で直感的なドラッグやドロップを行うことはできない。
このため、通常は図１１（ｂ）に示すように、
(1)ＷＬＡＮ(Wireless Local Area Network)、Ｂｌｕｅｔｏｏｔｈ(登録商標)、ＩＲ(Infra Red)の何れかの通信手段を選択する。
(2)アクセスポイント選択、セキュリティ設定、ペアリング等の通信設定を行う。
(3)セキュリティ設定、書き込み読み出し許可等のファイル共有設定を行う。
(4)ＰＣ(Personal Computer)、ＴＶ(Television)、ＮＡＳ(Network Attached Storage)、Ｐｒｉｎｔｅｒ等の伝送先機器を選択する。
(5)ファイルロケーション等のフォルダを選択する。
(6)コンテンツを選択する。
(7)移動、コピー、再生動作等を実行する。
の動作が必要であり、煩雑である。
このため、直感的な操作が可能なシステムが望まれる。
【００１０】
そこで、本発明の目的は、共にタッチパネルを有する第１の情報処理装置と第２の情報処理装置との間で直感的な操作が可能な通信システム、情報処理装置、及び通信方法を提供することにある。
【課題を解決するための手段】
【００１１】
本発明の第１の通信システムは、第１のタッチパネルを有し人体通信が可能な第１の情報処理装置と、第２のタッチパネルを有し人体通信が可能な第２の情報処理装置と、を備えた通信システムであって、前記第１の情報処理装置は、前記第１のタッチパネル及び前記第２のタッチパネルの操作により前記第２の情報処理装置との間で人体通信を行う第１の人体通信部と、前記第２の情報処理装置との間で非人体通信を行う第１の非人体通信部と、前記第１の人体通信部により接続情報を前記第２の情報処理装置と授受することによりコンテンツのファイルの授受をするための非人体通信に切り替える第１の制御部と、を有し、前記第２の情報処理装置は、前記第１のタッチパネル及び前記第２のタッチパネルの操作により前記第１の情報処理装置との間で人体通信を行う第２の人体通信部と、前記第１の情報処理装置との間で非人体通信を行う第２の非人体通信部と、前記第２の人体通信部により接続情報を前記第１の情報処理装置と授受することによりコンテンツのファイルの授受をするための非人体通信に切り替える第２の制御部と、を有することを特徴とする。
【００１２】
本発明の第２の通信システムは、ユーザの接触により座標入力可能な第１のタッチパネルと、人体を介して通信を行う第１の人体通信部と、人体を介さずに通信を行う第１の非人体通信部とを有する第１の情報処理装置、および、人体を介して通信を行う第２の人体通信部と、人体を介さずに通信を行う第２の非人体通信部とを有する第２の情報処理装置とを備えた通信システムであって、前記第２の情報処理装置が管理するファイルを指定した後に、前記第１のタッチパネルが前記第２の情報処理装置を保持するユーザに接触されて前記ファイルに対する操作が指定されると、前記ファイルに対する操作を行うための前記第１の非人体通信部と前記第２の非人体通信部との間の通信の確立に用いる接続情報を、前記第１の人体通信部と前記第２の人体通信部との間で通信することを特徴とする。
【００１３】
本発明の第１の情報処理装置は、第１のタッチパネルを有し人体通信が可能な第１の情報処理装置と、第２のタッチパネルを有し人体通信が可能で、前記第１のタッチパネル及び前記第２のタッチパネルの操作により前記第１の情報処理装置との間で人体通信を行う第２の人体通信部、前記第１の情報処理装置との間で非人体通信を行う第２の非人体通信部、及び前記第２の人体通信部により接続情報を前記第１の情報処理装置と授受することによりコンテンツのファイルの授受をするための非人体通信に切り替える第２の制御部を有する第２の情報処理装置と、を備えた通信システムに用いられる第１の情報処理装置であって、前記第１の情報処理装置は、前記第１のタッチパネル及び前記第２のタッチパネルの操作により前記第２の情報処理装置との間で人体通信を行う第１の人体通信部と、前記第２の情報処理装置との間で非人体通信を行う第１の非人体通信部と、前記第１の人体通信部により接続情報を前記第２の情報処理装置と授受することによりコンテンツのファイルの授受をするための非人体通信に切り替える第１の制御部と、を有することを特徴とする。
【００１４】
本発明の第２の情報処理装置は、ユーザの操作により入力可能な第１の入力手段と、人体を介して通信を行う第１の人体通信部と、人体を介さずに通信を行う第１の非人体通信部とを有する第１の情報処理装置、および、人体を介して通信を行う第２の人体通信部と、人体を介さずに通信を行う第２の非人体通信部とを有する第２の情報処理装置とを備えた通信システムであって、前記第２の情報処理装置が管理するデータを指定した後に、前記第１の入力手段が前記第２の情報処理装置を保持するユーザに操作されて前記データに対する操作が指定されると、前記データに対する操作を行うための前記第１の非人体通信部と前記第２の非人体通信部との通信に用いる設定情報を、前記第１の人体通信部と前記第２の人体通信部との間で通信することを特徴とする。
【００１５】
本発明の通信方法は、人体通信が可能な第１の情報処理装置と、人体通信が可能な第２の情報処理装置との間の通信方法であって、前記第１の情報処理装置から前記第２の情報処理装置に人体通信により接続情報を伝送すると、前記人体通信から他の通信に切り替えてコンテンツのファイルの授受を行うことを特徴とする。
【発明の効果】
【００１６】
本発明によれば、共にタッチパネルを有する第１の情報処理装置と第２の情報処理装置との間で直感的な操作が可能な通信システム、情報処理装置、及び通信方法の提供を実現することができる。
【図面の簡単な説明】
【００１７】
【図１】本発明に係る通信システムの説明図である。
【図２】図１に示した、第１の情報処理装置としての携帯端末及び第２の情報処理装置としての固定端末のブロック図の一例である。
【図３】装置Ａ（携帯端末４）から装置Ｂ（固定端末１）にコンテンツのファイルを伝送する場合の概念図である。
【図４】装置Ｂから装置Ａにコンテンツのファイルを伝送する場合の概念図である。
【図５】装置Ａから装置Ｂへのファイルの伝送について説明するためのフローチャートの一例の一部である。
【図６】装置Ａから装置Ｂへのファイルの伝送について説明するためのフローチャートの一例の一部である。
【図７】装置Ａから装置Ｂへのファイルの伝送について説明するためのフローチャートの一例の残りである。
【図８】装置Ｂから装置Ａへのファイルの伝送について説明するためのフローチャートの一例の一部である。
【図９】装置Ｂから装置Ａへのファイルの伝送について説明するためのフローチャートの一例の残りである。
【図１０】（ａ）は、タッチパネルを搭載した固定端末の操作方法を示す説明図であり、（ｂ）は、タッチパネルを搭載した携帯端末の操作方法を示す説明図である。
【図１１】（ａ）、（ｂ）は、図１０（ａ）に示した固定端末に図１０（ｂ）に示した携帯端末からコンテンツのファイルを伝送する場合の説明図である。
【発明を実施するための形態】
【００１８】
図１は、本発明に係る通信システムの説明図である。
本実施の形態では、固定端末と携帯端末との間の通信システムの場合で説明する。
同図において、ユーザ操作とシステム動作とが示されている。図中７は無線通信を行うための無線ＬＡＮルーターである。
【００１９】
ユーザ操作としては、以下の(1)、(2)が挙げられる。
(1)例えば、伝送元である第１の情報処理装置としての携帯端末４を左手６で持って、右手３のユビで携帯端末４のタッチパネル５の図示しないアイコンをつまむ。（コンテンツアイコンが点滅する等変化する。ユーザは表示の変化を確認し、）右手３のユビを離す。
【００２０】
(2)左手６で携帯端末４を持ったまま、右手３のユビで伝送先である第２の情報処理装置としての固定端末１のタッチパネル２の指定の場所に触れたり、ユビを開いたりする等の動作をする。この動作によりコンテンツの移動、コピー、再生動作等が実行される。
【００２１】
人体通信は、人体を伝送媒体とした通信方式である。特に電界方式と呼ばれる人体通信は、人体表面に沿う電界を送りたい情報で変化を与えて通信を行う。そのため、服などの絶縁物を介しても通信可能である。およそ、体の表面上数ｍｍは通信可能範囲とされる。
【００２２】
人体通信は、空間に電波を放射する無線通信に比べて、通信に必要なエネルギーを低くできる。また、人体を媒体とした通信経路が確立しないかぎり通信が行われないので、不要伝搬を抑えることができる。このため、データ通信の安定化、秘匿性向上、接続認証の省略、低消費電力化を図ることができる。
しかし、人体通信は、上記無線通信と比較するとかなり低速であるため、本実施の形態ではこれらを組み合わせて使用する。
【００２３】
システム動作としては、以下の(1)〜(5)が挙げられる。
(1)ユーザがタッチパネル５の指定の場所に触れる、またはアイコンをつまむ等の指定動作により、その画面上の座標を取得し、その座標にあるコンテンツを記憶する。アイコンの表示を変化させるなどして、コンテンツが指定されたことをユーザに通知する。
(2)ユーザがタッチパネル２の指定の場所に触れる、またはユビを開く等の指定動作により、その画面上の座標を取得し、その座標にある、フォルダ、アプリケーションを記憶する。このとき、ユーザが送信元である携帯端末４と送信先である固定端末１との両方に触れることで人体通信が開始される。
(3)通信設定情報に基づき、セキュリティ設定等自動設定され、通信リンクが確立される（通信自動設定）。
(4)(1)で記憶したコンテンツを伝送する（コンテンツ伝送）。
(5)(2)で記憶したフォルダにコンテンツを移動、コピー、もしくはアプリケーションで再生動作が実行される（実行）。
【００２４】
すなわち、携帯端末４から固定端末１に通信手段通知、設定情報リクエストが人体通信で行われると（例えば、ＷＬＡＮ、Ｂｌｕｅｔｏｏｔｈ(登録商標)等：ステップＳａ）、固定端末１から携帯端末４に最適通信手段の設定情報通知が人体通信で行われる（例えば、ＷＬＡＮのＡＰのＩＤ、セキュリティ設定：ステップＳｂ）。
ステップＳａ、Ｓｂは人体通信で行われ、最適通信手段の設定が完了すると、人体通信は終了して、携帯端末４から固定端末１にコンテンツが無線通信により伝送される（ステップＳｃ）。
【００２５】
図２は、図１に示した、第１の情報処理装置としての携帯端末及び第２の情報処理装置としての固定端末のブロック図の一例である。
固定端末１及び携帯端末４は、入力部１１、表示部１２、制御部１３、記憶部１４、無線通信部１５、人体通信部１６、及びファイル記憶部１７を有する。
【００２６】
入力部１１はタッチパネル２、５に対応する。表示部１２は、例えば、タッチパネル２、５の背面に配置されるタッチパネル２、５と同一サイズの液晶パネルが挙げられる。制御部１３は、固定端末１もしくは携帯端末４を統括制御する機能を有する部材であり、例えばマイクロプロセッサが挙げられる。記憶部１４は制御プログラム等を記憶する部材であり、例えばＲＯＭ(Read Only Memory)が挙げられる。ファイル記憶部１７は、コンテンツファイル等のデータを記憶する部材であり、例えばフラッシュメモリやＨＤＤ(Hard Disk Drive)が挙げられる。
【００２７】
無線通信部１５は、図示しない汎用の送信回路、受信回路、アンテナ切り替え回路を有するものであり、アンテナ１８を介して外部の無線ＬＡＮルーター７（図１参照）を介して無線通信する機能を有する。無線通信が非人体通信に該当する。
【００２８】
人体通信部１６は、固定端末１と携帯端末４との間の通信を、人体を介して行う機能を有する。
【００２９】
図３は、装置Ａ（携帯端末４）から装置Ｂ（固定端末１）にコンテンツのファイルを伝送する場合の概念図である。
装置Ａと装置Ｂとの間はユーザを介して最適通信手段（この場合、無線通信）の設定のための人体通信が行われ、人体通信により無線通信の設定が完了すると、人体通信は終了して無線通信により装置Ａから装置Ｂ）にコンテンツのファイルが伝送される。
【００３０】
図４は、装置Ｂから装置Ａにコンテンツのファイルを伝送する場合の概念図である。
装置Ｂと装置Ａとの間はユーザを介して最適通信手段（この場合、無線通信）の設定のための人体通信が行われ、人体通信により無線通信の設定が完了すると、人体通信は終了して無線通信により装置Ｂから装置Ａにコンテンツのファイルが伝送される。
【００３１】
ここで、装置Ａから装置Ｂにコンテンツのファイルを伝送する場合（ケース１）と、装置Ｂから装置Ａにコンテンツのファイルを伝送する場合（ケース２）との二つに場合分けした理由について説明する。
【００３２】
ケース１は、装置Ａ（携帯端末）の操作対象に対して操作Ｂ（固定端末）の操作内容を指定する場面を想定したものである。
装置Ａで最初に操作対象が特定され、その後に装置Ｂにタッチして操作内容が確定するが、このときユーザは装置Ａにタッチしていないものの、保持状態は継続しているため、装置Ａから装置Ｂに人体通信で接続情報を送ることができる。
これとは逆に、装置Ｂの操作対象に対して装置Ａの操作内容を指定する場面では、装置Ｂの操作対象が確定した後に装置Ａにタッチして操作内容を確定するが、この時点では装置Ｂにタッチしていないため、ケース１の手順では、接続情報を人体通信で送ることができない。これに対応するのがケース２である。
【００３３】
以下、図１に示した通信システムの動作について、装置Ａから装置Ｂへファイルを伝送する場合（ケース１）と、装置Ｂから装置Ａへファイルを伝送する場合（ケース２）とについて詳説する。
【００３４】
＜ケース１：装置Ａから装置Ｂ＞
装置Ａから装置Ｂへのファイルの伝送について、図５、図６、及び図７を用いて説明する。
【００３５】
図５、図６、及び図７は、装置Ａから装置Ｂへのファイルの伝送について説明するためのフローチャートの一例である。
装置Ａでのユーザ操作、装置Ａの動作、装置Ｂの動作、及び装置Ｂでのユーザ操作について示してある。
まず、ユーザは装置Ａを手（例えば左手）に取り（ステップＳ１）、タッチパネル上でアイコンをつまむ動作等を手（この場合右手）で行ってファイル指定指示をし（ステップＳ２）、ファイルが選択されたことを確認する（ステップＳ３）。
装置Ａは、人体通信部はＯＮとなっており（ステップＳ７）、フルパスファイル名、ファイル種別、ファイルサイズ等を記憶し（ステップＳ８）、指定ファイルアイコンを透過表示する。このときアイコンをブリンクさせてもよい（ステップＳ９）。
【００３６】
この時点で装置Ｂは人体通信部がＯＮとなっており、スタンバイ状態となっている（ステップＳ２１）。
【００３７】
ユーザがタッチパネル上でユビを広げる動作等でコピー先指定指示を行うと（ステップＳ４）、装置Ｂはフルバス、フォルダ名等のコピー先フォルダを取得して記憶し（ステップＳ２２）、人体通信開始デバイスを検出する（ステップＳ２３）。
同時に装置Ａも人体通信開始デバイスを検出する。すなわち、装置Ａ、Ｂ同士がお互いを認識する（ステップＳ１０）。
【００３８】
装置Ａは接続情報としての無線通信機能情報を装置Ｂと交換する。無線通信機能としては、例えば、無線ＬＡＮ、Ｂｌｕｅｔｏｏｔｈ(登録商標)、ＩＲ等が挙げられる。プロトコルとしては、ＨＴＴＰ(Hyper Text Transfer Protocol)、ＦＴＰ(File Transfer Protocol)、ＳＭＢ(Server Message Block)等が挙げられる（ステップＳ１１、Ｓ２４）。
【００３９】
装置Ａは送信ファイル情報を装置Ｂに送付すると（ステップＳ１２）、装置Ｂはファイル情報を取得する。ファイル情報としては、ファイル名、ファイル種別、サイズ等が挙げられる（ステップＳ２５）。
【００４０】
装置Ｂは通信に用いる設定情報としての通信設定情報を装置Ａに送ると（ステップＳ２６）、装置Ａは通信設定情報を取得する。通信設定情報としては、通信指定：ＳＳＩＤ(Service Set IDentifier)、ＰＩＮ(Personal Identification Number)、バスフレーズ等が挙げられ、セキュリティ情報：ＨＴＴＰ、ＳＭＢ(Server Message Block)等が挙げられ、その他：フォルダロケーション、ポート番号等が挙げられる（ステップＳ１３）。
【００４１】
装置Ａは設定情報受信完了通知を装置Ｂに送ると（ステップＳ１４）、装置Ｂは設定情報受信確認を行う（ステップＳ２７）。
【００４２】
装置Ａは人体通信を切断する。すなわち、装置Ａからユーザのユビが離れることで人体通信が切断、終了する（ステップＳ１５）。
【００４３】
装置Ｂはタッチパネル上のファイルアイコン透過表示を行い（ステップＳ２８）、ユーザは通信準備完了を確認すると共にユビをタッチパネルから離し（ステップＳ５）、装置Ｂは人体通信を切断する（ステップＳ２９）。
【００４４】
装置Ａは無線通信設置を行う。通信設定としては、指定された無線通信手段について通信設定情報に基づき、アクセスポイント等に接続し、セキュリティ設定を行う（ステップＳ１６）。
【００４５】
装置Ａ及び装置Ｂは無線通信を確立し、設定した無線通信で、お互いに通信できることを確認する（ステップＳ１７、ステップＳ３０）。
【００４６】
装置Ａは装置Ｂにコンテンツのファイルを指定された転送プロトコルで送信すると（ステップＳ１８）、装置Ｂはコンテンツのファイルを受信し、一時フォルダに格納する（ステップＳ３１）。
【００４７】
装置Ｂは受信完了通知を装置Ｂに送ると（ステップＳ３２）、装置Ａは装置Ｂからの受信完了通知を受けて受信完了を確認する（ステップＳ１９）。
装置Ａはファイルアイコンを表示部に通常表示して終了する（ステップＳ２０）。
【００４８】
装置Ｂはファイルを一時フォルダから指定フォルダに移動し（ステップＳ３３）、ファイルアイコンを表示部に透過表示して終了する（ステップＳ３４）。
【００４９】
ユーザは装置Ｂの表示部のファイルアイコンの通常表示を見ることにより通信の完了を確認して終了する（ステップＳ６）。
【００５０】
すなわち、ケース１の場合、ユーザは、装置Ａを左手に持ってタッチパネルを右手で操作し、ファイルの指定を右手で行い、ファイルを選択すると、アイコンの形が変わるので、装置Ｂのタッチパネルを触る。装置Ａ及び装置Ｂは、両方ともタッチパネルが搭載されているという前提なので、タッチパネル上のユーザのユビが触れた場所が指定場所となりコピーがされることになる。コピー先が指定されるとアイコンが透過し、コピーが開始したら手を離す。その時点で通信設定情報を渡してあるので、装置Ａ、Ｂ同士がネゴーシエーションをして最適な手段で通信を行う。ファイルが転送されて送信が終了すると装置Ａ、Ｂ双方のそのファイルのアイコンが通常表示される。
【００５１】
ここで、装置Ｂの人体通信は常にＯＮとなっているが、これは人体通信開始から始まるため、通信待機状態を意味している。すなわち、人体通信はいつでもできるようになっている。
【００５２】
＜ケース２：装置Ｂから装置Ａ＞
装置Ｂから装置Ａへのファイルの伝送について、図８及び図９を用いて説明する。
【００５３】
図８及び図９は装置Ｂから装置Ａへのファイルの伝送について説明するためのフローチャートの一例である。
【００５４】
ユーザは装置Ａを手（例えば左手）に取り（ステップＳ４１）、装置Ｂのタッチパネル上において手（この場合右手）でアイコンをつまむ動作等のファイル指定指示を行う（ステップＳ４２）。このとき装置Ａ及び装置Ｂは人体通信がＯＮとなっている（ステップＳ４７、Ｓ６１）。
【００５５】
装置Ｂはファイル指定指示が行われると、フルパス、ファイル名、ファイル種別、ファイルサイズ等の取得、記憶、一時フォルダにコピーを行う（ステップＳ６２）。
【００５６】
装置Ａ及び装置Ｂは人体通信開始デバイスを検出して装置同士がお互いを認識する（ステップＳ４８、Ｓ６３）。
【００５７】
装置Ａ及び装置Ｂはお互いに接続情報としての無線通信機能情報を交換する。無線通信機能としては、例えば、無線ＬＡＮ、Ｂｌｕｅｔｏｏｔｈ(登録商標)、ＩＲ等が挙げられ、プロトコルとしては、ＨＴＴＰ、ＦＴＰ、ＳＭＢ等が挙げられる（ステップＳ４９、Ｓ６４）。
【００５８】
装置Ｂは通信設定情報送信ファイル情報を装置Ａに送付すると（ステップＳ６５）、装置Ａは通信に用いる通信設定情報、ファイル情報を取得する。
ここで、ファイル情報としては、ファイル名、ファイル種別、サイズ等が挙げられ、通信設定情報としては、通信手段指定、無線ＬＡＮ、Ｂｌｕｅｔｏｏｔｈ(登録商標)等が挙げられ、セキュリティ情報としては、ＳＳＩＤ、ＰＩＮ、パスフレーズ等が挙げられ、転送プロトコルとしては、ＨＴＴＰ、ＳＭＢ等が挙げられ、その他フォルダロケーション、ポート番号等が挙げられる（ステップＳ５０）。
【００５９】
装置Ａは設定情報受信完了通知を装置Ｂに送ると（ステップＳ５１）、装置Ｂは設定情報受信確認を行う（ステップＳ６６）。
【００６０】
装置Ｂは指定ファイルアイコンを透過表示（もしくはブリンク）し（ステップＳ６７）、ユーザは装置Ｂのタッチパネルを見て選択されたことを確認し、ユビを離す（ステップＳ４３）。
【００６１】
装置Ａは装置Ｂからユーザの手（右手）が離れることで、装置Ｂと共に人体通信を切断する（ステップＳ５２、Ｓ６８）。
【００６２】
装置Ａが通信設定を行い（ステップＳ５３）、ユーザが装置Ａのタッチパネル上で手（右手）のユビを広げる動作等を行ってコピー先指定指示を行うと（ステップＳ４４）、装置Ａはコピー先フォルダを取得し、記憶する（ステップＳ５４）。
ここで、通信設定としては、指定された無線通信手段について通信設定情報に基づき、アクセスポイント等に接続し、セキュリティ設定を行う。
【００６３】
装置Ａが表示部のファイルアイコンを透過表示すると（ステップＳ５５）、ユーザは通信開始を確認する（ステップＳ４５）。
【００６４】
装置Ａは装置Ｂとの間で確立した無線通信で、お互いに通信できることを確認する（ステップＳ５６、Ｓ６９）。
【００６５】
装置Ｂは一時フォルダから装置Ａに、指定された転送プロトコルでファイルを送ると（ステップＳ７０）、装置Ａはファイルを受信し、一時フォルダに格納する（ステップＳ５７）。
【００６６】
装置Ａは受信完了通知を装置Ｂに送ると（ステップＳ５８）、装置Ｂは受信完了を確認し（ステップＳ７１）、装置Ｂはファイルアイコンを表示部に通常表示して終了する（ステップＳ７２）。
【００６７】
装置Ａはファイルを一時フォルダから指定フォルダに移動し（ステップＳ５９）、装置Ａの表示部にファイルアイコンを通常表示して終了する（ステップＳ６０）。
【００６８】
ユーザは装置Ａの表示部のファイルアイコン通常表示を見ることにより、通信の完了を確認して終了する（ステップＳ４６）。
【００６９】
すなわち、ケース２の場合、まずユーザは装置Ａを手（右手）に取り、装置Ｂのタッチパネル上のファイルの位置に触れる。ユーザの手が装置Ｂのタッチパネルのファイルの位置に触れることで、装置Ａと装置Ｂとが接続されるので、人体通信が開始する。
【００７０】
装置Ｂのタッチパネルにユーザが触れることでファイル名が選択されるので、送信するファイル自体は明らかとなっている。最適な通信手段を取得して人体通信で送る。選択されたアイコンを透明表示する。ここで、装置Ｂのタッチパネルからユビを離すと人体通信が切れるが、人体通信が切れた時点で、ケース１になかったものはコピー先が指定していない点である。
本ケースでは、ユーザが装置Ｂにタッチして対象ファイルを選択していて装置Ａと装置Ｂとの間で、人体通信が可能なときに通信設定情報を人体通信によって装置Ａにコピーしておき、ユーザが装置Ｂから手を離して人体通信が切断されコピー先として装置Ａの指定の場所が選択されると、装置Ａ側から装置Ｂ側の指定フォルダに対してファイル受信動作を行うようにすることで対応している。もしくは、人体通信にて装置Ａの一時フォルダ情報を装置Ｂにコピーしておき、装置Ｂから装置Ａの一時フォルダに対してファイルの送信処理を行うようにすることでも対応できる。
【００７１】
なお、上述した実施の形態は、本発明の好適な実施の形態の一例を示すものであり、本発明はそれに限定されることなく、その要旨を逸脱しない範囲内において、種々変形実施が可能である。
上述した実施の形態では、携帯端末と固定端末との間の通信システムの場合で説明したが、本発明はこれに限定されるものではなく、両方携帯端末で、一方を置いた状態における通信システムの場合であってもよい。
【００７２】
また、例えば、第１の情報処理装置が携帯電話であって、第２の情報処理装置がカーナビゲーションシステムであって、携帯電話で検索した目的地を指定してカーナビゲーションシステムのタッチパネルにタッチすると、経路検索するように構成することができる。この場合、データである目的地情報が携帯電話からカーナビゲーションシステムに送られる。このように、指定されるのはファイルに限定されない。
【００７３】
また、例えば、第１の情報処理装置が携帯電話であって、第２の情報処理装置がプリンタであって、携帯電話で写真を指定してプリンタにタッチすると指定した写真が携帯電話からプリンタに送信されて印刷されるように構成することができる。このように、操作内容として指定される機器が単一の機能のみ有している場合、操作内容を指定するための座標入力を行うタッチパネルを使用しないでシステムを構成することも可能である。
【産業上の利用可能性】
【００７４】
本発明は、携帯電話、ＰＤＡ(Personal Digital Assistant)、ポータブルプレーヤ、デスクトップパソコン、ノートパソコン、テレビジョン受像機等に利用できる。
【符号の説明】
【００７５】
１    固定端末（装置Ｂ、第２の情報処理装置）
２、５    タッチパネル
３    手（右手）
４    携帯端末（装置Ａ、第１の情報処理装置）
６    手（左手）
７    無線ＬＡＮルーター
１１    入力部
１２    表示部
１３    制御部
１４    記憶部
１５    無線通信部
１６    人体通信部
１７    ファイル記憶部
１８    アンテナ
【図１】
2011209852.tif 000003
【図２】
2011209852.tif 000004
【図３】
2011209852.tif 000005
【図４】
2011209852.tif 000006
【図５】
2011209852.tif 000007
【図６】
2011209852.tif 000008
【図７】
2011209852.tif 000009
【図８】
2011209852.tif 000010
【図９】
2011209852.tif 000011
【図１０】
2011209852.tif 000012
【図１１】
2011209852.tif 000013